(57)【特許請求の範囲】
【請求項１】
ケースと、
該ケースに内蔵されケーブルを挿通可能な貫通孔が形成されたコアとを備え、
該ケースは、該コアを覆うケース部と、該ケース部と別体で設けられ該貫通孔内に配置されて該ケース部に着脱可能に固定され該ケーブルの該コアへの当接を抑制する保護カバーとを有し、
該保護カバーと該ケース部とは、該保護カバーを該ケース部に固定するために互いに連結し合う連結部を有し、
該ケース部の該連結部は該貫通孔の軸方向における該ケース部の端部外面上に設けられ、
該保護カバーは、該貫通孔の軸方向の両端部に、該ケース部の端部外面上に配置されるフランジ部をそれぞれ有し、該保護カバーの該連結部は該フランジ部にそれぞれ設けられていることを特徴とするノイズ吸収装置。
【請求項２】
該保護カバーと該貫通孔とはそれぞれ略円筒形状をなし、該保護カバーは、該貫通孔内に該貫通孔と略同軸的に配置されてその内周面が該ケーブルに対向し、該貫通孔の軸方向と略平行な断面で二分割された第１保護カバー部と第２保護カバー部とを有し、
該第１保護カバー部と第２保護カバー部とは、該保護カバーの軸方向における一端及び他端が半円の円弧をなし、該保護カバーの該連結部は、該一端及び他端の該円弧の中央位置にそれぞれ設けられていることを特徴とする請求項１記載のノイズ吸収装置。
【請求項３】
該コアは、該貫通孔の軸方向と略平行な断面で二分割された第１コア部と第２コア部とを有し、
該ケース部は、該貫通孔の軸方向と略平行な断面で二分割された第１ケース部と第２ケース部とを有し、該第１ケース部は該第１コア部を収容し該第１ケース部に該第１保護カバーが固定され、該第２ケース部は該第２コア部を収容し該第２ケース部に該第２保護カバーが固定されることを特徴とする請求項２記載のノイズ吸収装置。
【請求項４】
該連結部は該ケース部に設けられたフックと、該保護カバーに設けられ該フックに係合可能なフック受け部とからなることを特徴とする請求項１乃至請求項３のいずれか一記載のノイズ吸収装置。
【請求項５】
該貫通孔の軸方向における該ケース部の端部内面には、該コアへ向けて突出するコア係止用フックが設けられ、該コア係止用フックに対向する該コアの部分には、該コア係止用フックの先端部が係合可能なコア凹部が形成され、
該フックは該コア係止用フックからなり、該コア係止用フックの先端部は該ケース部の端部内面から突出し、該コア係止用フックの基部寄りの部分は該フック受け部に係合可能であることを特徴とする請求項４記載のノイズ吸収装置。
【請求項６】
該ケース部の該フックの近傍には、該フックへの該フック受け部の係合時に該ケース部の肉厚方向において該フック受け部が該ケース部から突出しないように収容されるフック受け部収容空間が形成されていることを特徴とする請求項４記載のノイズ吸収装置。
【請求項７】
該フック受け部収容空間は、該貫通孔の軸方向における該ケース部の端部に形成された凹部からなることを特徴とする請求項６記載のノイズ吸収装置。
【請求項８】
該貫通孔の軸方向における該ケース部の端部内面には、該コアへ向けて突出するコア係止用フックが設けられ、該コア係止用フックに対向する該コアの部分には、該コア係止用フックが係合可能なコア凹部が形成され、
該凹部は該コア係止用フックの近傍において該コア係止用フックを挟むようにして一対形成され、該フックは一対の該凹部にそれぞれ１つずつ設けられていることを特徴とする請求項７記載のノイズ吸収装置。
【発明の詳細な説明】
【技術分野】
【０００１】
本発明はノイズ吸収装置に関し、特に電源ケーブルに装着されるノイズ吸収装置に関する。
【背景技術】
【０００２】
従来、電子機器の電源ケーブルにおいて、電源より発生されるノイズを除去するために、フェライトコアを備えたノイズ吸収装置が電源ケーブルに取り付けられている。具体的には貫通孔が形成されたフェライトコアの当該貫通孔内に電源ケーブルを挿通し、フェライトコアが電源ケーブルに対して動かないように樹脂等のケースでフェライトコアを電源ケーブルに位置決めして保持している（例えば、特許文献１参照）。
【特許文献１】特開２００５−１５０５６１号公報
【発明の開示】
【発明が解決しようとする課題】
【０００３】
従来のノイズ吸収装置では、上述の様に、ケースを用いてコアにより直接電源ケーブルを保持する構造を採っている。コアはフェライト等が焼結されて製造されるため、電源ケーブルの被覆として一般的に用いられる樹脂被覆より硬度が高く、故に、例えばコアの角部が電源ケーブルと当接することにより、電源ケーブルが傷付けられて破損するおそれがあった。
【０００４】
またコアは、その要求される性能によっては導電性を供える場合があり、この場合に電源ケーブルが傷付けられると、ショートするおそれもあった。よって本発明は、ケーブルを硬いコアから保護できるノイズ吸収装置を提供することを目的とする。
【課題を解決するための手段】
【０００５】
上記課題を解決するために、本発明は、ケースと、該ケースに内蔵されケーブルを挿通可能な貫通孔が形成されたコアとを備え、該ケースは、該コアを覆うケース部と、該ケース部と別体で設けられ該貫通孔内に配置されて該ケース部に着脱可能に固定され該ケーブルの該コアへの当接を抑制する保護カバーとを有し、該保護カバーと該ケース部とは、該保護カバーを該ケース部に固定するために互いに連結し合う連結部を有し、該ケース部の該連結部は該貫通孔の軸方向における該ケース部の端部外面上に設けられ、該保護カバーは、該貫通孔の軸方向の両端部に、該ケース部の端部外面上に配置されるフランジ部をそれぞれ有し、該保護カバーの該連結部は該フランジ部にそれぞれ設けられているノイズ吸収装置を提供している。
【０００６】
ケースは、コアを覆うケース部と、貫通孔内に配置されてケース部に固定されケーブルのコアへの当接を抑制する保護カバーとを有するため、ケース部によりコアを保護すると共に、保護カバーをコアとケーブルとの間に介在させることができる。よって保護カバーによりコアとケーブルとの当接が防がれる。
【０００７】
また、保護カバーはケース部と別体で設けられているため、ケース部に対して着脱可能とすることができる。着脱可能であるため、保護カバーを必要としない場合には、保護カバーをケース部から外すことにより、又は保護カバーをケース部に取付けないことにより、簡単に保護カバーの無い構成のノイズ吸収装置とすることができる。このため、ケースを製造するための一種類の金型で、保護カバーがあるタイプと無いタイプとの両方を製造することができる。
【０００９】
また、保護カバーとケース部とは、保護カバーをケース部に固定するために互いに連結し合う連結部を有するため、保護カバーがケース部から外れてしまうことを防止することができる。また、ケース部の連結部は貫通孔の軸方向におけるケース部の端部外面上に設けられているため、ケース部と保護カバーとを簡単に連結することができる。
【００１０】
また、該保護カバーと該貫通孔とはそれぞれ略円筒形状をなし、該保護カバーは、該貫通孔内に該貫通孔と略同軸的に配置されてその内周面が該ケーブルに対向し、該貫通孔の軸方向と略平行な断面で二分割された第１保護カバー部と第２保護カバー部とを有し、該第１保護カバー部と第２保護カバー部とは、該保護カバーの軸方向における一端及び他端が半円の円弧をなし、該保護カバーの該連結部は、該一端及び他端の該円弧の中央位置にそれぞれ設けられていることが好ましい。
【００１１】
第１保護カバー部と第２保護カバー部とは、保護カバーの軸方向における一端及び他端が半円の円弧をなし、保護カバーの連結部は、一端及び他端の円弧の中央位置にそれぞれ設けられているため、保護カバーをケース部に対してバランス良く連結することができる。
【００１２】
また、該コアは、該貫通孔の軸方向と略平行な断面で二分割された第１コア部と第２コア部とを有し、該ケース部は、該貫通孔の軸方向と略平行な断面で二分割された第１ケース部と第２ケース部とを有し、該第１ケース部は該第１コア部を収容し該第１ケース部に該第１保護カバーが固定され、該第２ケース部は該第２コア部を収容し該第２ケース部に該第２保護カバーが固定されることが好ましい。
【００１３】
コアは、貫通孔の軸方向と略平行な断面で二分割された第１コア部と第２コア部とを有し、ケース部は、貫通孔の軸方向と略平行な断面で二分割された第１ケース部と第２ケース部とを有し、第１ケース部は第１コア部を収容し第１ケース部に第１保護カバーが固定され、第２ケース部は第２コア部を収容し第２ケース部に第２保護カバーが固定されるため、ノイズ吸収装置の組立てを簡単にすることができる。
【００１８】
また、該連結部は該ケース部に設けられたフックと、該保護カバーに設けられ該フックに係合可能なフック受け部とからなることが好ましい。
【００１９】
連結部はケース部に設けられたフックと、保護カバーに設けられフックに係合可能なフック受け部とからなるため、簡単且つ確実に保護カバーとケース部とを連結することができる。
【００２０】
また、該貫通孔の軸方向における該ケース部の端部内面には、該コアへ向けて突出するコア係止用フックが設けられ、該コア係止用フックに対向する該コアの部分には、該コア係止用フックの先端部が係合可能なコア凹部が形成され、該フックは該コア係止用フックからなり、該コア係止用フックの先端部は該ケース部の端部内面から突出し、該コア係止用フックの基端寄りの部分は該フック受け部に係合可能であることが好ましい。
【００２１】
フックはコア係止用フックからなるため、フックをコア係止用フックで兼用することができる。このため、コア係止用フックとは別にフックを設けずに済み、構造を簡単にすることができ、ノイズ吸収装置の製造を簡単にすることができる。
【００２２】
また、該ケース部の該フックの近傍には、該フックへの該フック受け部の係合時に該ケース部の肉厚方向において該フック受け部が該ケース部から突出しないように収容されるフック受け部収容空間が形成されていることが好ましい。
【００２３】
また、該フック受け部収容空間は、該貫通孔の軸方向における該ケース部の端部に形成された凹部からなることが好ましい。
【００２４】
ケース部のフックの近傍には、フックへのフック受け部の係合時にケース部の肉厚方向においてフック受け部がケース部から突出しないように収容されるフック受け部収容空間が形成されているため、ケース部の連結部が貫通孔の軸方向におけるケース部の端部外面上に設けられている場合には、当該端部外面からフック受け部が突出することを防止でき、ノイズ吸収装置の見た目を良くすることができる。
【００２５】
また、ケース部の連結部が貫通孔の軸方向におけるケース部の端部内面上に設けられている場合には、フック受け部を収容する空間を形成するためにコアを削る等する必要がないので、コアの体積を所定の値で確保するために、当該削られたコアの分だけ外形を大きくする必要もなくなる。このように、コアの体積を所定の値で確保することができ、コアの体積を小さくせずにノイズ吸収装置の外形を小型化することができる。このため、所望の特性が得られる小型化したノイズ吸収装置とすることができる。
【００２６】
また、該貫通孔の軸方向における該ケース部の端部内面には、該コアへ向けて突出するコア係止用フックが設けられ、該コア係止用フックに対向する該コアの部分には、該コア係止用フックが係合可能なコア凹部が形成され、該凹部は該コア係止用フックの近傍において該コア係止用フックを挟むようにして一対形成され、該フックは該一対の凹部にそれぞれ１つずつ設けられていることが好ましい。
【００２７】
該凹部は該コア係止用フックの近傍において該コア係止用フックを挟むようにして一対形成され、該フックは該一対の凹部にそれぞれ１つずつ係合可能に一対設けられているため、保護カバーのケース部への固定をより安定して行うことができる。また、保護カバーのケース部への装着をバランスよくすることができる。仮に一対ではなくどちらか一方のみフックを設ける構成とした場合には、バランスが悪くなり、保護カバー装着時にスムーズに保護カバーをケース部に装着できない恐れがある。これに対してフックは一対設けられているので、バランスよく極めて簡単に装着することができる。
【発明の効果】
【００２８】
以上より、ケーブルを硬いコアから保護できるノイズ吸収装置を提供することができる。
【発明を実施するための最良の形態】
【００２９】
本発明の第１の実施の形態に係るノイズ吸収装置について図１乃至図４に基づき説明する。図１に示されるように、ノイズ吸収装置１は、ケース１０と、保護カバー５０と、コア２とから構成されている。ケース１０は、第一分割ケース部１１と、第二分割ケース部３１とを有しており、保護カバー５０は、第一分割保護カバー５１と、第二分割保護カバー７１とを有している。第一分割ケース部１１と第二分割ケース部３１とは略同一形状をなしており、第一分割ケース部１１と同一構成の第二分割ケース部３１の部分については説明を省略する。また、第一分割保護カバー５１と第二分割保護カバー７１とは同一形状をなしており、第二分割保護カバー７１についての説明は省略する。第一分割ケース部１１は第一ケース部に相当し、第二分割ケース部３１は第二ケース部に相当する。また、第一分割保護カバー５１、第二分割保護カバー７１は、第１保護カバー部、第２保護カバー部にそれぞれ相当する。
【００３０】
第一分割ケース部１１は、第一外周部１２と一対の第一側面部１３、１４とを有しており、第一外周部１２は、円筒を軸方向に平行な断面で二分割した半割り形状をなしている。一対の第一側面部１３、１４は、後述するコア２の貫通孔の軸方向における第一分割ケース部１１の端部に相当する。
【００３１】
第一分割ケース部１１の一対の第一側面部１３、１４は、図４に示されるように、それぞれ第一外周部１２と後述の第一分割保護カバー５１とが、それぞれの軸心が同軸かつ軸方向において端部位置が同位置になるよう配置された状態で、第一外周部１２の軸方向における一端部と後述の第一分割保護カバー５１の軸方向における一端部とが連結され、また、第一外周部１２の軸方向における他端部と第一分割保護カバー５１の軸方向における他端部とが連結される。従って、後述する第一分割保護カバー５１は、一体に構成された第一外周部１２及び一対の第一側面部１３、１４に対して着脱可能に固定されている。一対の第一側面部１３、１４は、それぞれ第一外周部１２及び第一分割保護カバー５１の軸方向と略直交する平面状をなす。
【００３２】
第一分割ケース部１１の第一外周部１２と一対の第一側面部１３、１４とは一体に構成されている。一体に構成された第一外周部１２及び一対の第一側面部１３、１４は、後述のようにコア２の軸方向の一端面及び他端面と外周面とを覆っている。
【００３３】
図１に示されるように、第一外周部１２と後述の第一分割保護カバー５１と一対の第一側面部１３、１４とで囲まれる部分には、後述の第一コア部２Ａを収容する第一収容部１１ａが形成されている。同様に第二分割ケース部３１にも第二収容部３１ａが形成されている。
【００３４】
第一外周部１２の周方向の一端部には、第一ヒンジ部１０Ａが設けられており、第一ヒンジ部１０Ａに関して、第一分割ケース部１１の反対側には第二分割ケース部３１が第一分割ケース部１１と平行な軸上に配置されている。従って、第一外周部１２と第二外周部３２とが第一ヒンジ部１０Ａを介して接続されている。第一分割ケース部１１の軸心に関し第一ヒンジ部１０Ａと反対側の位置となる第一外周部１２の周方向他端側には、周方向に延出された第一フック部１０Ｂが設けられている。
【００３５】
第二分割ケース部３１の軸心に関し第一ヒンジ部１０Ａと反対側の位置となる第二外周部３２の周方向端側には、第一フック部受部１０Ｃが設けられている。第一フック部受部１０Ｃには、第二外周部３２の直径方向に貫通する孔１０ａが形成されている。第一ヒンジ部１０Ａを支点として第一分割ケース部１１を第二分割ケース部３１側に回動させることにより、第一フック部受部１０Ｃの孔１０ａ内に第一フック部１０Ｂを挿入して掛止することができる。
【００３６】
図３に示されるように、第一外周部１２の周方向略中央部分には、第一押さえ片１５が設けられており、第一押さえ片１５は第一外周部１２を構成する壁の一部が切り抜かれて第一外周部１２の直径方向軸心側、即ち、図３の紙面の表から裏に向かって折り曲げられて構成されている。第一分割ケース部１１を第一ヒンジ部１０Ａを支点として第二分割ケース部３１側に回動させた状態では、第一押さえ片１５は、第二分割ケース部３１と対向する位置に配置される。第一分割ケース部１１を第一ヒンジ部１０Ａを支点として第二分割ケース部３１側に回動させた状態で、第一外周部１２の第一押さえ片１５に対向する箇所となる部分には、第二押さえ片３５が設けられている。第一押さえ片１５と第二押さえ片３５とは、互いに対向する方向に付勢力を発揮するように構成されている。
【００３７】
第一側面部１２の周方向における第一側面部１３、１４の略中央位置には、それぞれ第一側面部１３、１４の内面から第一収容部１１ａ内に突出する第一掛止部１３Ａ、１４Ａが設けられている。また、図１に示されるように、一対の第一側面部１３、１４の外面上であって後述するコア２の貫通孔の軸方向、即ち第一外周部１２の軸方向において第一掛止部１３Ａ、１４Ａにそれぞれ対向する位置には、第一フック１３Ｂ、第二フック１４Ｂ（図３等）がそれぞれ設けられている。第一フック１３Ｂは、第一外周部１２の軸方向における第一分割ケース部１１の端部外面上に突出して設けられており、後述のように第一分割保護カバー５１の第一フック受け部５２Ａに係合可能であり、第二フック１４Ｂは第二分割保護カバー７１の第二フック受け部５３Ａに係合可能である。第一掛止部１３Ａ、１４Ａ、第二掛止部３３Ａ、３４Ａはコア係止用フックに相当する。
【００３８】
第一分割保護カバー５１は、第一外周部１２に係る円筒と軸方向長さが略等しく、その径が小径の円筒を軸方向に平行な断面で二分割した半割り形状をなし、図１に示されるように、軸方向の一端及び他端をなす円弧に沿ってそれぞれ円弧の半径方向外方へ突出する円弧状の第一フランジ部５２、第二フランジ部５３が設けられている。
【００３９】
更に、図１に示されるように、第一フランジ部５２、第二フランジ部５３の周方向の略中央の位置には、第一外周部１２に係る円筒の軸方向へ貫通する貫通孔が形成された第一フック受け部５２Ａ、第二フック受け部５３Ａが、それぞれ円弧形状の第一フランジ部５２、第二フランジ部５３の半径方向外方へ突出して設けられている。第一フック受け部５２Ａ、第二フック受け部５３Ａそれぞれの貫通孔には、後述の第一フック１３Ｂ、第二フック１４Ｂが係合可能である。第一フック受け部５２Ａ、第二フック受け部５３Ａと、第一フック１３Ｂ、第二フック１４Ｂとで連結部を構成する。第一分割保護カバー５１は、後述のようにコア２の内周面を覆っている。
【００４０】
このような構成としたため、簡単且つ確実に保護カバー５０とケース１０とを連結することができる。また、第一フランジ部５２、第二フランジ部５３の周方向の略中央の位置に第一フック受け部５２Ａ、第二フック受け部５３Ａが設けられているため、第一分割保護カバー５１を第一分割ケース部１１に対してバランス良く連結することができる。また、このような連結部を有しているため、第一分割保護カバー５１が第一分割ケース部１１から外れてしまうことを防止することができる。
【００４１】
コア２は、特に低周波領域のノイズを効果的に除去すべく、Ｍｎ−Ｚｎ系フェライトを基材として構成されており、図１に示されるように、円筒が軸方向と平行な断面で二分割された同一形状の第一コア部２Ａと第二コア部２Ｂとから構成されている。コア２は、その軸方向長さがケース１０の軸方向長さよりも僅かに短く、第一収容部１１ａに第一コア部２Ａを収容可能であり、第二収容部３１ａに第二コア部２Ｂを収容可能である。また第一コア部２Ａと第二コア部２Ｂとには、それぞれ切断面であり軸方向に延びる一対の第一当接面２Ｃ、２Ｃ及び一対の第二当接面２Ｄ、２Ｄとを有している。第一当接面２Ｃ、２Ｃと第二当接面２Ｄ、２Ｄとを対向当接させることにより、略円筒形状をなすコア２が構成され、コア２の内周面によって略円筒形状のコア２を軸方向に貫通し、図示せぬ電源ケーブルを挿通する貫通孔が画成される。
【００４２】
第一コア部２Ａの軸方向の一端面には、第一コア部２Ａ周方向の略中間部分であって内周面と交わる部分に凹状の第一被掛止部２ａが形成されており、他端面であって第一被掛止部２ａの反対側位置に第二被掛止部２ｂが形成されている。第二コア部２Ｂの軸方向一端面と他端面とにも同様に第三被掛止部２ｃと第四被掛止部２ｄが形成されている。第一被掛止部２ａ〜第四被掛止部２ｄには、第一掛止部１３Ａ、１４Ａ、第二掛止部３３Ａ、３４Ａがそれぞれ係脱可能に係合している。第一被掛止部２ａ〜第四被掛止部２ｄはコア凹部に相当する。コア２を以上のような構成としたため、ノイズ吸収装置１の組立てを簡単にすることができる。
【００４３】
第一コア部２Ａが第一収容部１１ａに収容された状態で第一フック１３Ｂが第一フック受け部５２Ａに係合し、第二フック１４Ｂが第二フック受け部５３Ａに係合することにより、第一分割保護カバー５１は第一分割ケース部１１に固定され、第一コア部２Ａは第一分割保護カバー５１に覆われた状態となる。このとき、第一フランジ部５２、第二フランジ部５３は、図２に示されるように、第一外周部１２の軸方向における一対の第一側面部１３、１４の外面上に載置された状態となる。
【００４４】
同様に、第二コア部２Ｂが第二収容部３１ａに収容された状態で第三フック３３Ｂが第三フック受け部７２Ａに係合し、第四フック３４Ｂ（図３等）が第四フック受け部７３Ａに係合することにより、第二分割保護カバー７１は第二分割ケース部３１に固定され、第二コア部２Ｂは第二分割保護カバー７１に覆われた状態となる。このとき、第三フランジ部７２、第四フランジ部７３は、図２に示されるように、第一外周部１２の軸方向における一対の第二側面部３３、３４の外面上に載置された状態となっている。
【００４５】
ケース１０にコア２を装着するには、第一分割保護カバー５１を第一分割ケース部１１から取り外し、第二分割保護カバー７１を第二分割ケース部３１から取り外した状態とする。そして、コア２の第一コア部２Ａをケース１０の第一分割ケース部１１の第一収容部１１ａにおいて収容させた状態とし、第一分割保護カバー５１を第一分割ケース部１１に装着する。同様に、コア２の第二コア部２Ｂをケース１０の第二分割ケース部３１の第二収容部３１ａにおいて収容させた状態とし、第二分割保護カバー７１を第二分割ケース部３１に装着する。このようにすることによりノイズ吸収装置１が組み立てられる。
【００４６】
そして、ノイズ吸収装置１を図示せぬ電源ケーブルに装着するには、図４に示されるようにノイズ吸収装置１を、第一分割保護カバー５１と第二分割保護カバー７１とにより貫通孔が画成された円筒形状として、図４のＡで示される貫通孔内に図示せぬ電源ケーブルを配置する。より具体的には、先ず図示せぬ電源ケーブルを第二分割保護カバー７１内に配置する。次に、第一ヒンジ部１０Ａを支点として第一分割ケース部１１を第二分割ケース部３１側に回動させ、第一フック部１０Ｂを第一フック受部１０Ｃに掛止させて、第一分割ケース部１１と第二分割ケース部３１を閉じた状態にする。この状態にすることにより、ケース１０でコア２を保護すると共に、第一分割保護カバー５１と第二分割保護カバー７１とから保護カバー５０が構成されて、保護カバー５０をコア２と図示せぬ電源ケーブルとの間に介在させることができる。よって第一分割保護カバー５１と第二分割保護カバー７１とによりコア２と図示せぬ電源ケーブルとが当接することが防がれ、コア２による図示せぬ電源ケーブルの破損等が抑制される。
【００４７】
また第一分割ケース部１１と第二分割ケース部３１を閉じた状態で第一コア部２Ａと第二コア部２Ｂとは、第一当接面５１と第二当接面５２とがそれぞれ当接し、かつ第一押さえ片１５及び第二押さえ片３５と、第三押さえ片３１Ａ及び第四押さえ片４１Ａとによりそれぞれ相対する方向へ付勢される。よって第一コア部２Ａと第二コア部２Ｂとがそれぞれの当接面で確実に当接することができ、コア２として好適に閉磁路を構成することができる。
【００４８】
また、保護カバー５０はケース１０と別体で設けられているため、ケース１０に対して着脱可能とすることができる。着脱可能であるため、保護カバー５０を必要としない場合には、保護カバー５０をケース１０から外すことにより、又は保護カバー５０をケース１０に取付けないことにより、簡単に保護カバー５０の無い構成のノイズ吸収装置１とすることができる。このため、ケース１０を製造するための一種類の金型で、保護カバー５０があるタイプと無いタイプとの両方を製造することができる。
【００４９】
次に本発明の第２の実施の形態に係るノイズ吸収装置１０１について図５に基づき説明する。第２の実施の形態によるノイズ吸収装置１０１は、第一分割ケース部１１１の第一フック１３Ｂ、第二フック１４Ｂの近傍と、第二分割ケース部１３１の第三フック３３Ｂ、第四フック３４Ｂ（図３等参照）の近傍とに、凹部たる第一フック受け部収容空間１１１ｂ、第二フック受け部収容空間１１１ｃ、第三フック受け部収容空間１１１ｄ、図示せぬ第四フック受け部収容空間が形成されている点で第１の実施の形態とは異なる。
【００５０】
また、第一分割保護カバー１５１、第二分割保護カバー１７１には第一フランジ部５２、第二フランジ部５３が設けられておらず、第一フック受け部５２Ａ、第二フック受け部５３Ａ、第三フック受け部７２Ａ、第四フック受け部７３Ａは、第一分割保護カバー１５１、第二分割保護カバー１７１の軸方向の一端及び他端をなす円弧の部分に直接設けられている点で第１の実施の形態とは異なる。これら以外の点については第１の実施の形態と同一であるため説明を省略する。また、第１の実施の形態における部材と同一の部材については、同一の符号を用いて図示して説明する。また、説明の便宜上、コア２を省略して図示している。
【００５１】
凹部たる第一フック受け部収容空間１１１ｂ〜第四フック受け部収容空間は、図５に示されるように、第一側面部１２の軸方向における第一分割ケース部１１１、第二分割ケース部１３１の端部外面に形成されている。第一フック受け部収容空間１１１ｂ〜第四フック受け部収容空間は、第一フック１３Ｂ〜第四フック３４Ｂを取囲むように第一側面部１２の軸方向へ窪んで形成されており、その外形は第一フック受け部５２Ａ〜第四フック受け部７３Ａの外形と略同一である。
【００５２】
従って、第一フック受け部５２Ａ、第二フック受け部５３Ａに第一フック１３Ｂ、第二フック１４Ｂが係合しているときには、第一フック受け部５２Ａ〜第四フック受け部７３Ａは第一フック受け部収容空間１１１ｂ〜第四フック受け部収容空間内に収容された状態となり、第一側面部１２の軸方向において第一フック受け部５２Ａ〜第四フック受け部７３Ａが第一分割ケース部１１１の端部外面から突出しないように構成されている。第二分割ケース部１３１においても同様である。
【００５３】
また、第一側面部１２の軸方向における一対の第一側面部１３、１４の端部外面は、当該軸方向における第一分割保護カバー１５１、第二分割保護カバー１７１の端部と面一になっている。これらのことから、第一側面部１２の軸方向における第一分割ケース部１１１、第二分割ケース部１３１の端部から、第一分割保護カバー１５１、第二分割保護カバー１７１が突出しないように構成されている。このため、ノイズ吸収装置１０１の見た目を良くすることができる。
【００５４】
次に本発明の第３の実施の形態に係るノイズ吸収装置２０１について図６に基づき説明する。第３の実施の形態によるノイズ吸収装置２０１は、第一フック２１３Ｂ、第二フック２１４Ｂが、コア部を係止するための第一掛止部、第二掛止め部と兼用される点で第２の実施の形態とは異なる。また、凹部たる第一フック受け部収容空間２１１ｂ等が、第一側面部１２の軸方向における第一分割ケース部２１１、第二分割ケース部２３１の端部内面に形成されている点で第２の実施の形態とは異なる。これら以外の点については第２の実施の形態と同一であるため説明を省略する。また、第２の実施の形態における部材と同一の部材については、同一の符号を用いて図示して説明する。また、説明の便宜上、コア２を省略して図示している。
【００５５】
具体的には、凹部たる第一フック受け部収容空間２１１ｂ、第二フック受け部収容空間２１１ｃ、図示せぬ第三フック受け部収容空間、第四フック受け部収容空間は、図６に示されるように、第一分割ケース部２１１、第二分割ケース部２３１の端部内面に形成されている。第一フック受け部収容空間２１１ｂ、第二フック受け部収容空間２１１ｃ、図示せぬ第三フック受け部収容空間、第四フック受け部収容空間は、第一フック２１３Ｂ、第二フック２１４Ｂ、図示せぬ第三フック、図示せぬ第四フックをそれぞれ取囲むように窪んで形成されており、その外形は第一フック受け部５２Ａ〜第四フック受け部７３Ａの外形と略同一である。
【００５６】
第一フック２１３Ｂ、第二フック２１４Ｂ、図示せぬ第三フック、図示せぬ第四フックは、第２の実施の形態における第一フック１３Ｂ、第二フック１４Ｂ、第三フック３３Ｂ、第四フック３４Ｂよりも長く突出しており、その先端部は、第一分割ケース部２１１、第二分割ケース部２３１の端部内面から突出している。第一フック２１３Ｂ、第二フック２１４Ｂ、図示せぬ第三フック、図示せぬ第四フックの基部寄りの部分は、第一フック受け部５２Ａ、第二フック受け部５３Ａ、第三フック受け部７２Ａ、第四フック受け部７３Ａにそれぞれ形成された貫通孔を貫通して係合する。
【００５７】
このように係合しているときに、第一フック２１３Ｂ、第二フック２１４Ｂ、図示せぬ第三フック、図示せぬ第四フックの先端部は、第一側面部１２の軸方向における第一フック受け部５２Ａ、第二フック受け部５３Ａ、第三フック受け部７２Ａ、第四フック受け部７３Ａの端面から更に突出し、第一被掛止部２ａ〜第四被掛止部２ｄに係合して第一コア部２Ａ、第二コア部２Ｂを係止する。第一フック２１３Ｂ、第二フック２１４Ｂ、図示せぬ第三フック、図示せぬ第四フックは、第１の実施の形態における第一掛止部１３Ａ、１４Ａ、第二掛止部３３Ａ、３４Ａに相当する。
【００５８】
第一フック受け部５２Ａ、第二フック受け部５３Ａに第一フック２１３Ｂ、第二フック２１４Ｂが係合しているときには、第一フック受け部５２Ａ、第二フック受け部５３Ａは凹部たる第一フック受け部収容空間２１１ｂ、第二フック受け部収容空間２１１ｃ内に収容された状態となり、第一側面部１２の軸方向において第一フック受け部５２Ａ、第二フック受け部５３Ａが第一分割ケース部２１１の端部内面から突出しないように構成されている。第二分割ケース部２３１においても同様である。
【００５９】
以上の構成によれば、第一フック受け部５２Ａ、第二フック受け部５３Ａ等を収容する空間を形成するためにコア２を削る等する必要がないので、コアの体積を所定の値で確保するために、当該削られたコアの分だけ外形を大きくする必要もなくなる。このように、コア２の体積を所定の値で確保することができ、コア２の体積を小さくせずにノイズ吸収装置２０１の外形を小型化することができる。このため、所望の特性が得られる小型化したノイズ吸収装置２０１とすることができる。また、第一フック２１３Ｂ、第二フック２１４Ｂ、図示せぬ第三フック、図示せぬ第四フックと、コア２を第一分割ケース部２１１、第二分割ケース部２３１に固定するための掛止部とを兼用としたため、ノイズ吸収装置の製造を容易とすることができる。
【００６０】
また、第一フック２１３Ｂ、第二フック２１４Ｂが、コア部を係止するための第一掛止部、第二掛止め部と兼用されるため、第一掛止部、第二掛止め部とは別に第一フック２１３Ｂ、第二フック２１４Ｂを設けずに済み、構造を簡単にすることができ、ノイズ吸収装置２０１の製造を簡単にすることができる。
【００６１】
次に本発明の第４の実施の形態に係るノイズ吸収装置３０１について図７に基づき説明する。第４の実施の形態によるノイズ吸収装置３０１は、第一フック受け部収容空間３１１ｂ−１〜第八フック受け部収容空間が、第一側面部１２の軸方向における第一分割ケース部３１１、第二分割ケース部３３１の端部内面にそれぞれ一対で形成されている点で第１の実施の形態とは異なる。
【００６２】
また、第一フック受け部５２Ａ−１〜図示せぬ第四フック受け部はそれぞれ一対ずつ設けられている点で第１の実施の形態とは異なる。また、第２の実施の形態と同様に第一分割保護カバー３５１、第二分割保護カバー３７１には第一フランジ部５２、第二フランジ部５３が設けられておらず、第一フック受け部５２Ａ−１等は、第一分割保護カバー３５１、第二分割保護カバー３７１の軸方向の一端及び他端をなす円弧に直接設けられている点で第１の実施の形態とは異なる。これら以外の点については第１の実施の形態と同一であるため説明を省略する。また、第１の実施の形態における部材と同一の部材については、同一の符号を用いて図示して説明する。また、説明の便宜上、コア２を省略して図示している。
【００６３】
第一分割保護カバー３５１には、図７に示されるように、その軸方向の一端をなす円弧の略中央の位置を中心として当該円弧に沿った対称の位置に、一対の第一フック受け部５２Ａ−１、５２Ａ−２がそれぞれ設けられている。第一分割保護カバー３５１の軸方向の他端の側にも同様に、一対の第二フック受け部５３Ａ−１が設けられている。一対の第一フック受け部５２Ａ−１、５２Ａ−２、一対の第二フック受け部５３Ａ−１は、反割り状をした第一分割保護カバー３５１の円弧の周方向の一端及び他端を結ぶ仮想の直径の線に対して垂直の方向、即ち、図７の下方へ延出して設けられている。第二分割保護カバー３７１についても第一分割保護カバー３５１と同様の構成になっている。
【００６４】
凹部たる第一フック受け部収容空間３１１ｂ−１〜第四フック受け部収容空間３１１ｃ−２は、図７に示されるように、第一側面部１２の軸方向における第一分割ケース部３１１の端部内面に形成されている。一対をなす第一フック受け部収容空間３１１ｂ−１、第二フック受け部収容空間３１１ｂ−２は、第一掛止部１３Ａを挟むようにそれぞれ窪んで形成されており、その外形は一対の第一フック受け部５２Ａ−１、５２Ａ−２の外形とそれぞれ略同一である。同様に、一対をなす第三フック受け部収容空間３１１ｃ−１、第四フック受け部収容空間３１１ｃ−２は、第二掛止部１４Ａを挟むようにそれぞれ窪んで形成されており、その外形は一対の第一フック受け部５３Ａ−１の外形とそれぞれ略同一である。
【００６５】
また、図示せぬ第一フック、第二フック３１４Ｂ−１、３１４Ｂ−２もそれぞれ一対ずつ設けられおり、第一フック受け部収容空間３１１ｂ−１内の略中央の位置、第二フック受け部収容空間３１１ｂ−２内の略中央の位置には、それぞれ図示せぬ第一フックが１つずつ配置され、第三フック受け部収容空間３１１ｃ−１内の略中央の位置、第四フック受け部収容空間３１１ｃ−２内の略中央の位置に、第二フック３１４Ｂ−１、３１４Ｂ−２がそれぞれ１つずつ配置されている。
【００６６】
第一フック受け部５２Ａ−１、５２Ａ−２に図示せぬ第一フックが係合しているときには、第一フック受け部５２Ａ−１、５２Ａ−２は第一フック受け部収容空間３１１ｂ−１、第二フック受け部収容空間３１１ｂ−２内に収容された状態となり、第一側面部１２の軸方向において第一フック受け部５２Ａ−１、５２Ａ−２が第一分割ケース部３１１の端部内面から突出しないように構成されている。同様に、一対の第一フック受け部５３Ａ−１に第二フック３１４Ｂ−１、３１４Ｂ−２が係合しているときには、一対の第一フック受け部５３Ａ−１は第三フック受け部収容空間３１１ｃ−１、第四フック受け部収容空間３１１ｃ−２内に収容された状態となり、第一側面部１２の軸方向において一対の第一フック受け部５３Ａ−１が第一分割ケース部３１１の端部内面から突出しないように構成されている。第二分割ケース部３３１についても第一分割ケース部３１１と同様の構成となっており、図示せぬ第五フック受け部収容空間〜図示せぬ第八フック受け部収容空間が形成されている。
【００６７】
また、第一側面部１２の軸方向における一対の第一側面部１３、１４の端部外面は、当該軸方向における第一分割保護カバー３５１、第二分割保護カバー３７１の端部と面一になっている。これらのことから、第一側面部１２の軸方向における第一分割ケース部３１１、第二分割ケース部３３１の端部から、第一分割保護カバー３５１、第二分割保護カバー３７１が突出しないように構成されている。
【００６８】
以上のように、図示せぬ第一フック、第二フック３１４Ｂ−１、３１４Ｂ−２がそれぞれ一対ずつ設けられ、第一フック受け部５２Ａ−１、５２Ａ−２、第二フック受け部５３Ａ−１がそれぞれ一対ずつ形成され、これらが互いに係合することにより第一分割保護カバー３５１、第二分割保護カバー３７１が第一分割ケース部３１１、第二分割ケース部３３１にそれぞれ固定されるようにしたため、この固定をより安定して行うことができる。
【００６９】
また、第一分割保護カバー３５１、第二分割保護カバー３７１の第一分割ケース部３１１、第二分割ケース部３３１への装着をバランスよくすることができる。仮に一対ではなくどちらか一方のみフックを設ける構成とした場合には、バランスが悪くなり、スムーズに第一、第二分割保護カバーを第一、第二分割ケース部に装着できない恐れがある。これに対して図示せぬ第一フック、第二フック３１４Ｂ−１、３１４Ｂ−２がそれぞれ一対ずつ設けられているので、バランスよく極めて簡単に装着することができる。
【００７０】
本発明によるノイズ吸収装置は上述した実施の形態に限定されず、特許請求の範囲に記載した範囲で種々の変形や改良が可能である。例えば、フック及びフック受け部の個数は本実施の個数に限定されない。また、第一分割保護カバー５１、第二分割保護カバー７１は半割りの構成であったが、半割りの構成ではなく円筒形状であってもよいし、また、コア２とケーブルとの間の全体に渡って設けられていなくてよく、コア２へのケーブルの当接を抑制できればよい。また、同様にコアも二分割可能ではなく円筒形状をしていてもよい。同様に、ケースも二分割可能でなくて一体で構成されてもよい。
【図面の簡単な説明】
【００７１】
【図１】本発明の第１の実施の形態に係るノイズ吸収装置の分解斜視図。
【図２】本発明の第１の実施の形態に係るノイズ吸収装置を展開した状態を示す平面図。
【図３】本発明の第１の実施の形態に係るノイズ吸収装置を展開した状態を示す底面図。
【図４】本発明の第１の実施の形態に係るノイズ吸収装置の斜視図。
【図５】本発明の第２の実施の形態に係るノイズ吸収装置の分解斜視図。
【図６】本発明の第３の実施の形態に係るノイズ吸収装置の分解斜視図。
【図７】本発明の第４の実施の形態に係るノイズ吸収装置の分解斜視図。
【符号の説明】
【００７２】
１、１０１、２０１、３０１            ノイズ吸収装置
２        コア
２Ａ      第一コア部
２Ｂ      第二コア部
２ａ      第一被掛止部
２ｂ      第二被掛止部
２ｃ      第三被掛止部
２ｄ      第四被掛止部
１０      ケース
１１、１１１、２１１、３１１          第一分割ケース部
１３Ｂ、２１３Ｂ    第一フック
１４Ｂ、２１４Ｂ、３１４Ｂ−１、３１４Ｂ−２    第二フック
３１、１３１、２３１、３３１          第二分割ケース部
５０      保護カバー
５１、１５１、２５１、３５１          第一分割保護カバー
５２Ａ、５２Ａ−１、５２Ａ−２        第一フック受け部
５３Ａ、５３Ａ−１  第二フック受け部
７１、１７１、２７１、３７１          第二分割保護カバー
７２Ａ    第三フック受け部
７３Ａ    第四フック受け部
【図１】
0004529951.tif 000002
【図２】
0004529951.tif 000003
【図３】
0004529951.tif 000004
【図４】
0004529951.tif 000005
【図５】
0004529951.tif 000006
【図６】
0004529951.tif 000007
【図７】
0004529951.tif 000008